(57)【要約】【課題】ユーザが選択した所望の映像信号の映像を見やすい形態で提示するようにした放送受信装置を提供する。【解決手段】放送受信装置は、複数の異なる放送を受信してそれぞれの映像信号と音声信号を出力する受信手段により出力された異なる放送の映像信号の映像が、主画面と当該主画面の表示領域内に設けられた副画面にそれぞれ表示されている複数画面表示状態において、主画面または前記副画面のいずれかを指定する指定手段により副画面が指定された場合には、当該副画面に表示されている映像を主画面に切り換えて表示するように制御する。【選択図】  図１
2009232212.tif 000002
【特許請求の範囲】
【請求項１】
放送局から映像信号や音声信号を含む放送を受信する放送受信装置において、
複数の異なる放送を受信して、それぞれの映像信号と音声信号を出力する受信手段と、
前記受信手段より出力された映像信号の映像を表示するための主画面および該主画面の表示領域内に設けられた副画面とを有する表示手段と、
前記主画面または前記副画面のいずれかを指定する指定手段と、
前記受信手段より出力された異なる映像信号のうち、一方の映像信号の映像を前記主画面に表示し、他方の映像信号の映像を副画面に表示する複数画面表示状態において、前記指定手段により副画面が指定された場合には、当該副画面に表示されている映像を主画面に切り換えて表示するように制御する表示制御手段と、
を備えたことを特徴とする放送受信装置。
【請求項２】
前記受信手段より出力された異なる映像信号のうち、一方の映像信号の映像を前記主画面に表示し、他方の映像信号の映像を副画面に表示する複数画面表示状態において、前記表示制御手段は、前記指定手段により副画面が指定された場合には、前記主画面に表示されている映像を副画面に切り換えて表示するように制御することを特徴とする請求項１に記載の放送受信装置。
【請求項３】
前記受信手段より出力された異なる映像信号のうち、一方の映像信号の映像を前記主画面に表示し、他方の映像信号の映像を副画面に表示する複数画面表示状態において、前記表示制御手段は、前記指定手段により主画面が指定された場合には、副画面における映像の表示を中断するように制御することを特徴とする請求項１または請求項２に記載の放送受信装置。
【請求項４】
前記指定手段は、前記表示手段における主画面および副画面を覆うタッチパネルを備え、前記タッチパネルを接触または押圧された位置に対応する画面を指定することを特徴とする請求項１ないし請求項３のいずれか１項に記載の放送受信装置。
【請求項５】
前記複数の異なる映像信号とは、それぞれ画質の異なる映像信号であり、前記複数画面表示状態において、前記表示制御手段は、前記複数の異なる映像信号のうち、前記主画面に高画質の映像信号の映像を表示し、前記副画面には低画質の映像信号の映像を表示するように制御することを特徴とする請求項１ないし請求項４のいずれか１項に記載の放送受信装置。
【発明の詳細な説明】
【技術分野】
【０００１】
本発明は、放送番組を受信することができる放送受信装置に関するものであり、特に、異なる画質の放送（例えば、１セグメント方式の放送と１２セグメント方式の放送）の番組を同時に受信して表示画面上に表示するようにした放送受信装置に関するものである。
【背景技術】
【０００２】
近年、ナビゲーションシステムの性能は飛躍的に向上し、多機能化が進んでいる。特に、出発地と目的地とを最適ルートで結ぶ誘導経路を自動的に検索し、ＬＣＤ等の表示装置に表示する経路探索機能に加えて、近年になって普及し始めた地上デジタル放送を受信し、ＬＣＤ等の表示装置を用いて表示するテレビ放送受信機能を備えたナビゲーションシステムも広く普及している。
【０００３】
地上デジタル放送は、一つのチャンネルが１３のセグメント（階層）に分割されて、一つ或いは複数のセグメントを用いて、映像および音声等のデータを送信することが可能であり、その放送形態の違いによって区別することができる。例えば、高画質のハイビジョン放送は同時に１２のセグメントを必要とするため、一般に１２セグ放送（１２セグメント放送）と呼ばれている。また、低画質な移動体向け放送（携帯電話やカーナビ向けの放送）は１セグメントのみで送信可能なため、一般にワンセグ放送（１セグメント放送）と呼ばれている。
【０００４】
ワンセグ放送は、映像符号化技術にＨ．２６４／ＭＰＥＧ−４  ＡＶＣを採用することにより、少ないデータ量で安定度の高いデータ放送の実現を図っている。なお、一つのチャンネルにおいて１３のセグメント全てを使用することにより、同一のコンテンツを１２セグ放送と１セグ放送とで同時に放送することも可能である。
【０００５】
ところで、例えば、車載用のナビゲーション装置に搭載されている放送受信機では、移動しながらの放送受信が多いため、ワンセグ放送を受信することが好ましいが、ワンセグ放送は１２セグ放送と比較して画質等の品質が劣るため、例えば、パーキングエリアで停車中の場合といったユーザの状況によっては、１２セグ放送を受信することが好ましい場合もある。このため、放送受信装置側の状況に応じて１２セグ放送とワンセグ放送とを、自動的かつ適切に切り替えることができる放送受信装置が様々に提案されている。
【０００６】
例えば、下記の特許文献１（特開２００７−２５１４８０号公報）には、ユーザがデータ放送を操作しているときには、電波の受信状況が変化しても１セグメント放送と１２セグメント放送の間の自動切り換えを行わず、データ放送の操作を継続することができる技術が開示されている。これにより、ユーザの画面操作や選局操作を阻害しないように１セグメント放送と１２セグメント放送の自動切り換えを行うことで操作性と利便性を両立させている。また、この特許文献１に開示された技術は、サイマル放送が行われていないときには、受信状況が変化しても１セグメント放送と１２セグメント放送の間の切り換えを行わないように構成されている。
【０００７】
また、下記の特許文献２（特開２００７−２２１２９８号公報）には、移動体の移動状況に基づいて、受信された品質の異なる複数のデータの中から一つのデータを選択して出力する技術が開示されている。これにより、車両の走行状態に応じて、ユーザが画面を注視等することにより危険度が考慮された品質の映像等が出力されるので、ユーザの安全性を確保することができる。
【０００８】
また、下記の特許文献３（特開２００７−７４０９２号公報）には、１２セグメントチューナーと１セグメントチューナーの２つのチューナーを同時に使用し、１２セグメント放送と１セグメント放送の両方を同時に、かつ選択的に複数の表示装置において視聴する技術が開示されている。これにより、デジタル放送の映像の他、カーナビゲーションシステムの映像、ＤＶＤの映像、アナログ放送の映像等といった様々な映像を、乗用車の前席側表示装置および後席側表示装置等の複数の表示装置に選択的に表示させることができる。
【特許文献１】特開２００７−２５１４８０号公報（段落［００１９］〜［００２３］）
【特許文献２】特開２００７−２２１２９８号公報（段落［０００９］、段落［００４１］）
【特許文献３】特開２００７−７４０９２号公報（段落［００４４］〜［００４７］）
【発明の開示】
【発明が解決しようとする課題】
【０００９】
しかしながら、上記の特許文献１や特許文献２の放送受信装置においては、受信された１セグメント放送または１２セグメント放送の何れか一方を選択して表示するものの、両方の放送を同一画面上に同時に表示させることはできないため、ユーザが所望する番組を容易に得ることができないという問題点があった。
【００１０】
また、上記の特許文献３の放送受信装置においては、１セグメント放送と１２セグメント放送の両方を同時に二画面表示させることができるものの、この二画面表示は受信状態に応じて制御できるだけであり、ユーザによる簡単な操作によって所望する放送を見やすい形態で表示するように制御できるものではなかった。
【００１１】
本願の発明者は上記の問題点を解消すべく種々検討を重ねた結果、異なる画質の映像信号の映像を同時に受信して複数画面表示する際に、ユーザによって選択された映像信号の映像を表示領域の大きい画面にて表示するように制御すれば、上記の問題点を解消し得ることを想到し本発明を完成するに至ったものである。
【００１２】
すなわち、本発明は、上記の問題点を解消することを課題とし、ユーザが選択した所望の映像信号の映像を見やすい形態で提示するようにした放送受信装置を提供することを目的とするものである。
【課題を解決するための手段】
【００１３】
前記課題を解決するために、本願の請求項１にかかる発明は、
放送局から映像信号や音声信号を含む放送を受信する放送受信装置において、
複数の異なる放送を受信してそれぞれ映像信号と音声信号を出力する受信手段（例えば下記実施例では、放送受信手段１２に相当する）と、
前記受信手段により出力された映像信号の映像を表示するための主画面および該主画面の表示領域内に設けられた副画面とを有する表示手段（例えば下記実施例では、表示手段１３に相当する）と、
前記主画面または前記副画面のいずれかを指定する指定手段（例えば下記実施例では、入力手段１４に相当する）と、
前記受信手段より出力された異なる映像信号のうち、一方の映像信号の映像を前記主画面に表示し、他方の映像信号の映像を副画面に表示する複数画面表示状態において、前記指定手段より副画面が指定された場合には、当該副画面に表示されている映像を主画面に切り換えて表示するように制御する表示制御手段（例えば下記実施例では、表示制御手段１５に相当する）と、
を備えたことを特徴とする。
【００１４】
また、本願の請求項２にかかる発明は、請求項１にかかる放送受信装置において、前記受信手段より出力された異なる映像信号のうち、一方の映像信号の映像を前記主画面に表示し、他方の映像信号の映像を副画面に表示する複数画面表示状態において、前記表示制御手段は、前記指定手段により副画面が指定された場合には、前記主画面に表示されている映像を副画面に切り換えて表示するように制御することを特徴とする。
【００１５】
また、本願の請求項３にかかる発明は、請求項１または請求項２にかかる放送受信装置において、前記受信手段より出力された異なる映像信号のうち、一方の映像信号の映像を前記主画面に表示し、他方の映像信号の映像を副画面に表示する複数画面表示状態において、前記表示制御手段は、前記指定手段により主画面が指定された場合には、副画面における映像の表示を中断するように制御することを特徴とする。
【００１６】
また、本願の請求項４にかかる発明は、請求項１ないし請求項３のいずれか１項にかかる放送受信装置において、前記指定手段は、前記表示手段における主画面および副画面を覆うタッチパネルを備え、前記タッチパネルを接触または押圧された位置に対応する画面を指定することを特徴とする。
【００１７】
また、本願の請求項５にかかる発明は、請求項１ないし請求項４のいずれか１項にかかる放送受信装置において、前記複数の異なる映像信号とは、それぞれ画質の異なる映像信号であり、前記複数画面表示状態において、前記表示制御手段は、前記複数の異なる映像信号のうち、前記主画面に高画質の映像信号の映像を表示し、前記副画面には低画質の映像信号の映像を表示するように制御することを特徴とする。
【発明の効果】
【００１８】
請求項１にかかる発明においては、放送受信装置は、複数の異なる放送を受信してそれぞれ映像信号と音声信号を出力する受信手段より出力された映像信号のうち、一方の映像信号の映像を前記主画面に表示し、他方の映像信号の映像を副画面に表示する複数画面表示状態において、主画面または前記副画面のいずれかを指定する指定手段により副画面が指定された場合には、当該副画面に表示されている映像を主画面に切り換えて表示するように制御する。
【００１９】
このような構成によれば、異なる画質の映像信号を同時に受信して同一画面に複数画面表示する際に、ユーザが所望する映像信号の映像を簡単に選択することが可能である。このため、ユーザによって選択された映像信号の映像を表示領域の大きい画面にて表示することができるので、ユーザにとって利便性が向上する。
【００２０】
また、請求項２にかかる発明のおいては、請求項１にかかる放送受信装置において、前記受信手段より出力された異なる映像信号のうち、一方の映像信号の映像を前記主画面に表示し、他方の映像信号の映像を副画面に表示する複数画面表示状態において、前記表示制御手段は、前記指定手段により副画面が指定された場合には、前記主画面に表示されている映像を副画面に切り換えて表示するように制御する。
【００２１】
このような構成によれば、異なる画質の映像信号を同時に受信して同一画面に複数画面表示することができるとともに、ユーザが所望する映像信号の映像をいつでも簡単に選択することが可能であるため、ユーザにとって利便性が向上する。
【００２２】
また、請求項３にかかる発明のおいては、請求項１または請求項２にかかる放送受信装置において、前記受信手段より出力された異なる映像信号のうち、一方の映像信号の映像を前記主画面に表示し、他方の映像信号の映像を副画面に表示する複数画面表示状態において、前記表示制御手段は、前記指定手段により主画面が指定された場合には、副画面における映像の表示を中断するように制御する。
【００２３】
このような構成によれば、異なる画質の映像信号を同時に受信して同一画面に複数画面表示された状態から簡単にユーザによって選択された映像信号の映像を表示領域の大きい画面に切り換えて表示できるので、ユーザにとって利便性が向上する。
【００２４】
また、請求項４にかかる発明のおいては、請求項１ないし請求項３のいずれか１項にかかる放送受信装置において、前記指定手段は、前記表示手段における主画面および副画面を覆うタッチパネルを備え、前記タッチパネルを接触または押圧された位置に対応する画面を指定する。
【００２５】
このような構成によれば、異なる画質の映像信号を同時に受信して同一画面に複数画面表示する際に、ユーザが所望する映像信号の映像を簡単に選択することが可能である。このため、ユーザによって選択された映像信号の映像を表示領域の大きい画面にて表示することができるので、ユーザにとって利便性が向上する。
【００２６】
また、請求項５にかかる発明において、請求項１ないし請求項４のいずれか１項にかかる放送受信装置において、前記複数の異なる映像信号とは、それぞれ画質の異なる映像信号であり、前記複数画面表示状態において、前記表示制御手段は、前記複数の異なる映像信号のうち、前記主画面に高画質の映像信号の映像を表示し、前記副画面には低画質の映像信号の映像を表示するように制御する。
【００２７】
このような構成によれば、異なる画質の映像信号を同時に受信して同一画面に複数画面表示する際に、予め高画質の映像信号の映像を表示領域の大きい画面にて表示し、低画質の映像信号の画像を表示領域の小さい画面にて表示するので、ユーザにとって利便性が向上する。
【発明を実施するための最良の形態】
【００２８】
以下、本発明の具体例を実施例及び図面を用いて詳細に説明する。但し、以下に示す実施例は、本発明の技術思想を具体化するための放送受信装置を例示するものであって、本発明をこの放送受信装置に特定することを意図するものではなく、特許請求の範囲に含まれるその他の実施形態の放送受信装置にも等しく適用し得るものである。
【実施例】
【００２９】
図１は、本発明の実施例にかかる放送受信装置の構成を示すブロック図である。
【００３０】
放送受信装置は、制御手段１１、放送受信手段１２、表示手段１３、入力手段１４、表示制御手段１５、画像比較手段１６などを備えて構成されている。
【００３１】
なお、放送受信手段１２は本発明の受信手段に相当し、表示手段１３は本発明の表示手段に相当し、入力手段１４は本発明の指定手段に相当し、表示制御手段１５は本発明の表示制御手段に相当する。
【００３２】
また、本実施例は、車載用の放送受信装置を示すものであるが、放送受信機能を有する携帯電話機や携帯ゲーム機などの携帯型の放送受信装置あるいは屋内に設置される固定型の放送受信装置であってもよい。
【００３３】
制御手段１１は、マイクロプロセッサを中心に構成され、一般的なコンピュータ装置と同様にＲＯＭ１１ａ、ＲＡＭ１１ｂなどのメモリを備えている。ＲＯＭ１１ａには各部動作を制御するプログラムを記憶しており、ＲＡＭ１１ｂには制御手段１１の動作に必要な情報を記憶する。
【００３４】
放送受信手段１２は、放送局から送信された地上デジタル放送を受信することができるデジタルチューナーであり、１セグメントのワンセグ放送を受信する１セグチューナー１２ａと１２セグメントの地上デジタルテレビ放送（１２セグ放送）を受信する１２セグチューナー１２ｂとを内蔵した構成となっている。
【００３５】
各チューナーは、それぞれのアンテナを介して地上デジタル放送を受信することができるため、本実施例の放送受信装置は、１セグチューナー１２ａを用いて受信されたワンセグ放送と１２セグチューナー１２ｂを用いて受信された１２セグ放送とを同時に受信する同時受信モードと、ワンセグ放送あるいは１２セグ放送の何れか一方の放送のみを受信するモードとを有し、何れかのモードにて放送受信動作を行うことが可能である。各アンテナで受信された地上デジタル放送のデジタルテレビ信号（映像信号と音声信号）は放送受信手段１２より出力され制御手段１１に入力される。
【００３６】
表示手段１３は、制御手段１１がデジタルテレビ信号に含まれる映像信号から生成した映像データを処理して表示するための装置であり、例えばＬＣＤ（液晶表示装置）や有機ＥＬＤ等の表示装置から構成される。表示手段１３の表示画面は、図３に示すように、領域の大きい主画面（メイン表示画面）１３１とこの主画面の表示領域内に設けられた領域の小さい副画面（サブ表示画面）１３２とで構成されている。
【００３７】
また、表示手段１３には、各種データ放送や電子番組表が表示される。なお、制御手段１１がデジタルテレビ信号に含まれる音声信号から生成した音声データは、音声出力手段（図示せず）において処理されて出力される。
【００３８】
入力手段１４は、装置の電源ＯＮ／ＯＦＦや、ユーザが視聴する番組や放送局の選局等の指示を放送受信装置に対して行なうための入力用インターフェースであり、表示手段１３の表示画面上に表示されたタッチパネル式ボタンアイコン等により構成されている。タッチパネルは、表示手段１３の表示面に設けられ、表示面の任意の位置における指などの押圧あるいは接触を検出して位置検出信号を生成し、制御手段１１を介してその位置検出信号を表示制御手段１５に対して動作制御信号として出力する。
【００３９】
ユーザは表示画面上に映像信号の映像が表示されている主画面表示領域あるいは副画面表示領域をタッチすることにより、後述するように、所望の映像信号の映像を容易に選択することが可能である。また、ユーザは表示画面上に表示されるボタンアイコンをタッチすることにより、所望の放送局の番組を視聴することが可能である。
【００４０】
表示制御手段１５は、表示手段１３が、制御手段１１がデジタルテレビ信号に含まれる映像信号から生成した映像データを表示する際に、主画面１３１あるいは副画面１３２の領域に表示するように制御する。
【００４１】
図３は、表示手段１３に表示される画面の遷移を説明するための模式図である。具体的には、図３（Ａ）は、主画面１３１の領域に１２セグ放送の映像データが表示され、副画面１３２の領域にワンセグ（１セグ）放送の映像データが表示されている例を示し、図３（Ｂ）は、主画面１３１の領域にワンセグ放送の映像データが表示され、副画面１３２の領域に１２セグ放送の映像データが表示されている例を示し、図３（Ｃ）は、主画面１３１の領域に１２セグ放送あるいはワンセグ放送の何れか一方のうち１２セグ放送の映像データのみが表示されている例を示している。
【００４２】
すなわち、表示制御手段１５は、放送受信手段１２においてワンセグ放送あるいは１２セグ放送の何れか一方の放送のみを受信する受信モードの場合には、受信している放送の映像信号を主画面１３１の領域に表示する（例えば、図３（Ｃ））ように制御する。
【００４３】
また、放送受信手段１２においてワンセグ放送と１２セグ放送とを同時に受信する同時受信モードの場合には、受信している何れか一方の放送の映像信号を主画面１３１の領域に表示し、何れか他方の放送の映像信号を副画面１３２の領域に表示するように制御する。この場合、各映像信号を最初に表示する際には、図３（Ａ）に示すように、高画質である１２セグ放送の映像信号を主画面１３１の領域に表示し、低画質であるワンセグ放送の映像信号を副画面１３２に表示することがより望ましい。
【００４４】
また、表示制御手段１５は、ユーザにより主画面１３１の表示領域あるいは副画面１３２の表示領域がタッチされることにより入力手段１４から出力される動作制御信号に応じて、主画面１３１あるいは副画面１３２の領域に対する映像信号の表示を制御する。すなわち、表示制御手段１５は、ユーザにより主画面１３１の表示領域がタッチされると、それに基づく動作制御信号に応じて副画面１３２の領域に表示されている映像信号の表示を中断させることにより、主画面１３１の領域に表示されている映像信号の表示のみ（例えば、図３（Ｃ））となるように制御する。
【００４５】
一方、表示制御手段１５は、ユーザにより副画面１３１の表示領域がタッチされると、それに基づく動作制御信号に応じて副画面１３２の領域に表示されている映像信号を主画面１３１の領域に切り換えて表示するように制御する。この場合、切り換え表示する前に主画面１３１の領域に表示されていた映像信号は副画面１３２の領域に切り換えて表示するように制御することがより望ましいが、副画面１３２の領域へ切り換えて表示することなく主画面１３１の領域に表示されていた映像信号の表示を中断させてもよい。
【００４６】
例えば、図（Ａ）に示すように、主画面１３１の領域に１２セグ放送の映像信号が表示され、副画面１３２の領域にワンセグ放送の映像信号が表示されているときに、副画面１３２の領域がタッチされると、表示制御手段１５は、図３（Ｂ）に示すように、主画面１３１の領域にワンセグ放送の映像信号が表示され、副画面１３２の領域に１２セグ放送の映像信号が表示されるように制御する。
【００４７】
次に、本発明にかかる放送受信装置の表示制御動作について説明する。
【００４８】
図２は、本実施例にかかる放送受信装置の動作を示すフローチャートである。
【００４９】
なお、図２に示す動作は制御手段１１に備えられたＲＯＭ１１ａに記憶されている制御プログラムを実行することで実現される。
【００５０】
まずステップＳ２１の処理において、制御手段１１は、放送受信手段１２にて１２セグ放送とワンセグ放送とを同時に受信するモードになっているか否か判定し、同時受信モードである場合にはステップＳ２２の処理に進み、一方、同時受信モードではない場合には放送受信手段１２において受信しているデジタルテレビ放送の映像信号を表示手段１３の主画面１３１に表示して処理を終了する。
【００５１】
そして、ステップＳ２２の処理において、表示制御手段１５の制御により、図３（Ａ）に示すように、１２セグチューナー１２ｂを用いて受信している１２セグ放送の映像信号が表示手段１３の主画面１３１に表示されるとともに、１セグチューナー１２ａを用いて受信しているワンセグ放送の映像信号が表示手段１３の副画面１３２に表示される。
【００５２】
次に、ステップＳ２３の処理において、ユーザによる入力手段１４への入力操作として表示手段１３の表示画面へのタッチ操作がなされたか否か判定し、表示画面へのタッチ操作がある場合にはステップＳ２４の処理に進み、一方、表示画面へのタッチ操作がない場合にはステップＳ２５の処理に進む。
【００５３】
そして、ステップＳ２４の処理において、ユーザによる入力手段１４への入力操作として表示手段１３の副画面１３２へのタッチ操作がなされた場合には、図３（Ｂ）に示すように、主画面１３１に表示されていた１２セグ放送の映像信号は副画面１３２に小さく表示され、副画面１３２に表示されていたワンセグ放送の映像信号は主画面１３１に大きく表示されてステップＳ２５に進む。なお、ユーザによる入力手段１４への入力操作として表示手段１３の主画面１３１へのタッチ操作がなされた場合には、図３（Ａ）に示す表示画面のままステップＳ２５に進む。
【００５４】
ステップＳ２５の処理において、ユーザにより入力手段１４のタッチパネル式ボタンアイコンから放送視聴の終了ボタンが選択されたか否か判定し、終了ボタンが選択された場合にはデジタル放送の視聴を中止して処理を終了し、一方、終了ボタンが選択されていない場合にはステップＳ２３の処理に戻る。
【００５５】
以上説明したように本発明にかかる放送受信装置によれば、異なる画質の映像信号を同時に受信して同一画面に複数画面表示する際に、各映像信号を主画面と当該主画面の表示領域内に設けられた副画面にそれぞれ表示するので、ユーザが所望する映像信号の映像を簡単に選択することが可能である。このため、ユーザによって選択された映像信号の映像を表示領域の大きい画面にて表示することができるので、ユーザにとって利便性が向上する。
【００５６】
なお、上記実施例では、画質の異なる複数の放送として、同一の放送番組をワンセグ放送と１２セグ放送にて行うサイマル放送を例にして説明したが、これに限ることはなく、異なる放送番組をワンセグ放送と１２セグ放送にて受信する放送受信装置においても、本発明は同様に適用することができる。また、上記実施例では、画質の異なる複数の放送として、ワンセグ放送と１２セグ放送を例にして説明したが、これに限ることはなく、画質などの品質の異なる複数の放送であれば、本発明は同様に適用することができる。
【図面の簡単な説明】
【００５７】
【図１】本発明の実施例にかかる放送受信装置の構成を示すブロック図である。
【図２】本発明の実施例にかかる放送受信装置の表示制御動作を示すフローチャートである。
【図３】本発明の実施例にかかる表示手段に表示される画面の遷移を説明するための模式図である。
【符号の説明】
【００５８】
１１・・・・制御手段
１１ａ・・・ＲＯＭ
１１ｂ・・・ＲＡＭ
１２・・・・放送受信手段
１２ａ・・・１セグチューナー
１２ｂ・・・１２セグチューナー
１３・・・・表示手段
１４・・・・入力手段
１５・・・・表示制御手段
【図１】
2009232212.tif 000003
【図２】
2009232212.tif 000004
【図３】
2009232212.tif 000005